(57)【特許請求の範囲】
【請求項１】
泡消火液の噴射口を有するヘッド本体と、前記噴射口を閉じる弁と、この弁を噴射口の弁座に対し押し付け、かつ火災熱により分解飛散して前記弁に対する押し付け状態を解除し泡消火液の圧力による前記弁の飛散を許す火災感知部材と、前記火災感知部材に間隔を置いて沿うよう前記ヘッド本体から前記噴射口の軸方向外方へ延出され、かつその延出端部に前記火災感知部材を支持する支持部を有する支持フレームと、この支持フレームの延出端側に前記噴射口と対向するよう備え付けられたデフレクタと、を備えた閉鎖型泡ヘッドにおいて、
前記支持フレームの延出方向中間部に、前記火災感知部材の外周を覆う筒形の覆い壁を設け、該覆い壁のヘッド本体側端と前記ヘッド本体との間に、前記噴射口から放射される泡消火液が取り込む空気を吸込み、かつ分解飛散する前記火災感知部材の分解破片と前記弁の外方への飛散を許す第１開放口を形成するとともに、前記覆い壁のデフレクタ側端と前記デフレクタとの間に、分解飛散する前記火災感知部材の破片と前記弁の外方への飛散を許す第２開放口を前記第１開放口と連通するよう形成してあることを特徴とする閉鎖型泡ヘッド。
【請求項２】
前記ヘッド本体の前記噴射口に連通する内部通路に、泡消火液に旋回流を生じさせる旋回流付与機構が設けられている請求項１記載の閉鎖型泡ヘッド。
【発明の詳細な説明】
【０００１】
【発明の属する技術分野】
本発明は、泡消火設備に用いられる閉鎖型泡ヘッドに関する。
【０００２】
【従来の技術】
この種の閉鎖型泡ヘッドとして、例えば、特許第２６４５７９６号公報に記載されているものがある。この閉鎖型泡ヘッドは、図８に示すように、ヘッド本体３０に、ヘッド本体３０の噴射口３１の軸方向外方へ延出する外筒３２の基端部３２ａが固定される。この外筒３２の基端部３２ａとヘッド本体３０との間に、噴射口８から放射される泡消火液が取り込む空気を吸い込む吸気口３３が形成されている。そして外筒３２の延出端部３２ｂから更にＵ字形状の支持フレーム３４が延出され、この支持フレーム３４の延出端部３４ａにデフレクター３５が取り付けられている。ヘッド本体３０の噴射口３１はヒュージブルリンクからなる火災感知部材３６により押し付けられる弁３７によって閉じられている。外筒３２とデフレクター３５との間には、分解飛散する前記火災感知部材３６の破片と前記弁３７を外方へ飛散させるための開放口３８が支持フレーム３４の長さに見合うよう形成されている。火災が発生すると、その熱により火災感知部材３６が分解し開放口３８から外部へ飛散して弁３７に対する押し付け状態を解除し、弁３７が泡消火液の圧力により開放口３８から外部へ吹き飛ばされ、噴射口３１が開放して泡消火液の放出を開始する。
【０００３】
【発明が解決しようとする課題】
しかるに、ヘッド本体３０から外筒３２を延出し、この外筒３２の延出端部から更に支持フレーム３４を延出する構造の上記閉鎖型泡ヘッドでは、泡ヘッド全体が長大化するため、防火対象物の天井に上向き又は下向きに設置するとき天井に這わされる他の設備や装置の露出状態の配管やダクトなどの邪魔になることがあったり、また室内装飾が重視される室の低い天井などに設置する場合には美観を損ねるおそれがある。また、支持フレーム３４内の火災感知部材３６はほとんど外部に露出した状態にあるので、とくに低い天井などにおいて不用意に長い棒などが火災感知部材３６に当たると、該火災感知部材３６が変形、破損して、誤放水を起こすおそれがある。
【０００４】
そこで、本発明は、天井面に小スペースで、また室内装飾が重視される天井などにも見映えよく設置できるよう小形化、コンパクト化を図ることができ、また火災感知部材を外傷から安全に防護できる閉鎖型泡ヘッドを提供することを目的とする。
【０００５】
【課題を解決するための手段】
本発明の前提とする閉鎖型泡ヘッドは、図１〜７に例示するように、泡消火液の噴射口８を有するヘッド本体１と、前記噴射口８を閉じる弁４と、この弁４を噴射口８の弁座８ａに対し押し付け、かつ火災熱により分解飛散して前記弁４に対する押し付け状態を解除し泡消火液の圧力による前記弁４の飛散を許す火災感知部材５と、この火災感知部材５に間隔を置いて沿うよう前記ヘッド本体１から前記噴射口８の軸方向外方へ延出され、かつその延出端部に前記火災感知部材５を支持する支持部１４を有する支持フレーム２と、この支持フレーム２の延出端側に前記噴射口８と対向するよう備え付けられたデフレクタ６と、を備えたものである。
そのうえで、本発明は、前記支持フレーム２の延出方向中間部に、前記火災感知部材５の外周を覆う筒形の覆い壁３を設け、該覆い壁３のヘッド本体側端と前記ヘッド本体１との間に、前記噴射口８から放射される泡消火液が取り込む空気を吸込み、かつ分解飛散する前記火災感知部材５の分解破片と前記弁４の外方への飛散を許す第１開放口２３を形成するとともに、前記覆い壁３のデフレクタ側端と前記デフレクタ６との間に、分解飛散する前記火災感知部材５の破片と前記弁４の外方への飛散を許す第２開放口２４を前記第１開放口２３と連通するよう形成してあることに特徴を有するものである。
【０００６】
この場合において、上記ヘッド本体１の噴射口８に連通する内部通路９には、泡消火液に旋回流を生じさせる旋回流付与機構１０を設けることができる。
【０００７】
【作用】
上記構成の閉鎖型泡ヘッドによれば、火災が発生すると、火災感知部材が第１開放口または第２開放口から覆い壁内に入る火災熱により分解し、この破片が第１開放口または第２開放口から外部へ飛散して弁に対する押付け状態を解除する。この解除により弁が泡消火液の圧力によって第１開放口または第２開放口から外部へ飛散することで噴射口が開放される。この開放された噴射口から放射される泡消火液は第１開放口から空気を取り込んで発泡し、デフレクタに衝突して周囲に分散し、泡の放射パターンを形成する。その際、ヘッド本体の内部通路に旋回流付与機構を設けておくと、噴射口から放射する泡消火液への空気の巻込みがより確実良好に行われて良質発泡の泡を放出することができる。
【０００８】
また、上記構成の閉鎖型泡ヘッドは覆い壁を支持フレームの延出方向中間部に設けているので、図８に示す閉鎖型泡ヘッドとの比較において両者のヘッド本体及び支持フレームの長さを同一とした場合、外筒３２の長さ分だけ全長を短縮化、小形化することができ、それだけ天井面に小スペースで納めることができる。また覆い壁は火災感知部材の外周を覆っているので、火災感知部材を外部からの障害物より防護することができる。
【０００９】
【発明の実施の形態】
本発明に係る閉鎖型泡ヘッドの実施の形態を図面に基づき説明する。図１は閉鎖型泡ヘッドの平面図、図２は同閉鎖型泡ヘッドの半欠截縦断正面図、図３は同閉鎖型泡ヘッドの側面図、図４は同閉鎖型泡ヘッドの火災感知部材の支持部分の拡大縦断正面図である。
【００１０】
本発明に係る閉鎖型泡ヘッドは、図２に示すように、ヘッド本体１、支持フレーム２、覆い壁３、弁４、火災感知部材５、及びデフレクタ６を備える。ヘッド本体１は、泡消火液配管の管路（図示省略）に接続される接続口部７と、先窄まり形状の噴射口８と、これら接続口部７と噴射口８とを連通させる内部通路９とを形成している。内部通路９には、泡消火液に旋回流を生じさせるためのスクリューなどからなる旋回流付与機構１０を組み込んでいる。
【００１１】
支持フレーム２は、図２、図３に示すように、ヘッド本体１の噴射口開口端面の外周部の対向二箇所から噴射口８の軸方向外方へ略平行に一体に延出された２本の縦腕部１１，１１と、この縦腕部１１，１１の各延出端部を中心に向けて略直角に屈曲連設した形の横腕部１２，１２により概ね四角形枠状に形成し、横腕部１２，１２どうしが突合わされる中心部からボス部１３を外方へ一体に突設している。
【００１２】
図２に示すように、ヘッド本体１の噴射口８は弁４で閉じるが、この弁４は断面ハット形に形成されて噴射口８内にはめ込まれ、火災感知部材５で弁４の鍔部４ａを噴射口８の弁座に対し密着状に押し付けている。火災感知部材５には、ガラス管の内部に熱によって膨脹するアルコール等の熱膨張液体を封入したグラスバルブが使用される。このグラスバルブは、閉鎖型泡ヘッドの周囲の温度が一定温度以上になると熱膨張液体が膨張して破壊するようになっている。火災感知部材５としては、グラスバルブに代えて、周知の低融点の合金部分を持つヒュージブルリンクを使用することもできる。
【００１３】
図４に示すように、火災感知部材５は支持フレーム２のボス部１３に設けた支持部１４で支持される。その支持部１４は、ボス部１３に径小ねじ穴１５と径大ねじ穴１６とを段付き状に上下縦方向に連通形成し、穴付ねじ１７を径大ねじ穴１６から挿入して径小ねじ穴１５にねじ込み、ボス部１３の内端面から突出する穴付ねじ１７の先端凹部１７ａで火災感知部材５を支持するよう構成される。火災感知部材５により弁４を噴射口８の弁座に対し押し付ける強度は穴付ねじ１７の径小ねじ穴１５へのねじ込み量を加減することで調整できる。
【００１４】
デフレクタ６は、図１に示すように、円板１８にスリット１９を放射状に列設してなり、このデフレクタ６は噴射口８と対向するよう支持フレーム２のボス部１３の径大ねじ穴１６にねじ込まれる頭付ねじ２０で締付け固定される。
【００１５】
図２、図３に示すように、覆い壁３は筒形状に形成し内周に雌ねじ２１を設けていて、支持フレーム２の縦腕部１１，１１の各外面に設けた雄ねじ２２にねじ込むことにより支持フレーム２の延出方向中間部に火災感知部材５の外周を所定間隔を置いて覆うよう装着される。その際、覆い壁３のヘッド本体側端とヘッド本体１との間には、噴射口８から放射される泡消火液が取り込む空気を吸込み、かつ分解飛散する火災感知部材５の分解破片と弁４の外方へ飛散させるための第１開放口２３を形成する。また覆い壁３のデフレクタ側端とデフレクタ６との間には、分解飛散する火災感知部材５の破片と弁４の外方へ飛散させるための第２開放口２４を第１開放口２３と連通するよう形成する。
【００１６】
上記構成の閉鎖型泡ヘッドは、火災感知部材５により弁４が噴射口８の弁座８ａに押し付けられて噴射口８を閉止状態に保持している平常状態においてヘッド本体１の接続口部７内にまで充満されている加圧泡消火液を弁４によってせき止めている。
【００１７】
いま、火災が発生し、一定の温度以上の火災熱が第１開放口２３または第２開放口２４から覆い壁３内に入ると、その火災熱により火災感知部材５が分解し、この破片が第１開放口２３または第２開放口２４から外部へ飛散して弁４に対する押し付け状態を解除する。この解除に伴い弁４が泡消火液の圧力によって第１開放口２３または第２開放口２４から外部へ飛散することで噴射口８が開放される。この開放された噴射口８から放射される泡消火液は第１開放口２３から空気を取り込んで発泡し、デフレクタ６に衝突して周囲に分散する。分散する泡が燃焼物の表面を覆うことにより、窒息効果と泡を形成する水の冷却効果により油火災等の消火をも可能にする。
【００１８】
上記支持フレーム２の形状は、図５ないし図７に示すように、ヘッド本体１の噴射口開口端面の外周部から噴射口８の軸方向外方へ一体に延出された２本のくの字形状の腕部２５，２５により菱形枠状もしくはこれに類似する枠形状に形成することもできる。この場合、覆い壁３は腕部２５，２５の屈曲部どうし間に環状に一体形成される。また火災感知部材５を支持するための支持部１４は腕部２５，２５どうしの突合わせ中心部からボス部２６を内方へ突設し、このボス部２６にねじ込む穴付ねじ１７により構成される。デフレクタ６はボス部２６の外端側にかしめ付けている。この実施例においても、上記実施例の場合と同様に、覆い壁３のヘッド本体側端とヘッド本体１との間には、噴射口８から放射される泡消火液が取り込む空気を吸込み、かつ分解飛散する火災感知部材５の分解破片と弁４の外方への飛散を許す第１開放口２３が形成され、また覆い壁３のデフレクタ側端とデフレクタ６との間には、分解飛散する火災感知部材５の破片と弁４の外方への飛散を許す第２開放口２４が第１開放口２３と連通状に形成される。
【００１９】
上記閉鎖型泡ヘッドは泡消火液を下向きに放出するよう下向きに設置すること、泡消火液を上向きに放出するよう上向きに設置することは任意である。なお、本発明の閉鎖型泡ヘッドは火災感知部材５による感熱機構を備えているので、火災感知ヘッドにも使用することができる。
【００２０】
【発明の効果】
本発明の閉鎖型泡ヘッドによれば、とくに小形化、短縮化することができて天井面に小スペースで見映えよく設置することができ、また火災感知部材を外傷から安全に防護できて有利である。
【図面の簡単な説明】
【図１】  閉鎖型泡ヘッドの平面図である。
【図２】  図１の閉鎖型泡ヘッドの半欠截縦断正面図である。
【図３】  図１の閉鎖型泡ヘッドの側面図である。
【図４】  図１の閉鎖型泡ヘッドの火災感知部材の支持部分の拡大縦断正面図である。
【図５】  他の実施例を示す閉鎖型泡ヘッドの平面図である。
【図６】  図５の閉鎖型泡ヘッドの閉鎖状態を示す半欠截縦断正面図である。
【図７】  図５の閉鎖型泡ヘッドの側面図である。
【図８】  従来例の閉鎖型泡ヘッドの閉鎖状態を示す縦断正面図である。
【符号の説明】
１ ヘッド本体
２ 支持フレーム
３ 覆い壁
４ 弁
５ 火災感知部材
６ デフレクタ
７ 接続口部
８ 噴射口
９ 内部通路
１０ 旋回流付与機構
１４ 支持部
２３ 第１開放口
２４ 第２開放口
【図１】
0004469464.tif 000002
【図２】
0004469464.tif 000003
【図３】
0004469464.tif 000004
【図４】
0004469464.tif 000005
【図５】
0004469464.tif 000006
【図６】
0004469464.tif 000007
【図７】
0004469464.tif 000008
【図８】
0004469464.tif 000009